【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
複数の電子源領域を画定する電子放出手段と、
それぞれが該電子源領域の少なくとも１つに関連付けられる複数のグリッド領域を画定する抽出グリッドと、
各グリッド領域と対応する該電子源領域との間の相対的な電位を制御し、電子が該放出手段から抽出される位置を該電子源領域間で移動させることができるように構成される制御手段と、を備えることを特徴とするＸ線スキャナ用電子源。
【請求項２】
該抽出グリッドは該放出手段に沿って離間して配置される複数のグリッド素子を備えることを特徴とする請求項１記載のＸ線スキャナ用電子源。
【請求項３】
該放出手段は長尺状の放出器部材を含み、該グリッド素子は、該電子源領域がそれぞれ該放出器部材に沿った個々の位置に存在するように、該放出器部材に沿って離間して配置されることを特徴とする請求項２記載のＸ線スキャナ用電子源。
【請求項４】
該制御手段は、各グリッド素子を、該放出手段に対して正の電位を有する抽出電位あるいは該放出手段に対して負の電位を有する阻止電位のいずれかに接続するように構成されることを特徴とする請求項２又は３記載のＸ線スキャナ用電子源。
【請求項５】
該制御手段は、該グリッド素子を、隣接する対毎に次々に該抽出電位に接続して、該グリッド素子の各対間に電子ビームを誘導するように構成されることを特徴とする請求項４記載のＸ線スキャナ用電子源。
【請求項６】
該グリッド素子はそれぞれ、隣接するグリッド素子のいずれかと同じ電位に接続することができ、それにより該各グリッド素子は２つの異なるグリッド対の一部を構成可能であることを特徴とする請求項５記載のＸ線スキャナ用電子源。
【請求項７】
該制御手段は、該隣接する対がそれぞれ該抽出電位に接続されている間に、該対のいずれか一方にある該グリッド素子を該阻止電位に接続するように構成されることを特徴とする請求項５又は６記載のＸ線スキャナ用電子源。
【請求項８】
該制御手段は、該隣接する対がそれぞれ該抽出電位に接続されている間に、該対の中にない全ての該グリッド素子を該阻止電位に接続するように構成されることを特徴とする請求項７記載のＸ線スキャナ用電子源。
【請求項９】
該グリッド素子は平行な長尺状部材を含むことを特徴とする請求項２乃至８の何れか一記載のＸ線スキャナ用電子源。
【請求項１０】
該放出部材は該グリッド素子に対して略垂直に延在することを特徴とする請求項３に従属するときの請求項９記載のＸ線スキャナ用電子源。
【請求項１１】
該グリッド素子はワイヤを含むことを特徴とする請求項２乃至１０の何れか一記載のＸ線スキャナ用電子源。
【請求項１２】
該グリッド素子は平面的であり、該放出器部材に対して略垂直な平面内に延在して、該陽極からの逆方向のイオン衝撃から該放出器部材を保護することを特徴とする請求項３又は請求項３に従属する請求項４乃至１１の何れか一記載のＸ線スキャナ用電子源。
【請求項１３】
該グリッド素子は、隣接するグリッド素子間の距離に略等しい距離だけ該放出手段から離間して配置されることを特徴とする請求項２乃至１２の何れか一記載のＸ線スキャナ用電子源。
【請求項１４】
電子が該グリッドを通過した後に該電子ビームを集束するように構成される複数の集束素子をさらに備えることを特徴とする請求項１乃至１３の何れか一記載のＸ線スキャナ用電子源。
【請求項１５】
該集束素子は長尺状であることを特徴とする請求項１４記載のＸ線スキャナ用電子源。
【請求項１６】
該集束素子は該グリッド素子に対して平行であることを特徴とする請求項２に従属するときの請求項１４又は１５記載のＸ線スキャナ用電子源。
【請求項１７】
該集束素子は、該グリッド素子の任意の対間を通り抜けた電子が該集束素子の対応する対間を通過することになるように、該グリッド素子と位置合わせされることを特徴とする請求項１６記載のＸ線スキャナ用電子源。
【請求項１８】
該集束素子は該グリッド素子と等しい間隔で離間して配置されることを特徴とする請求項１７記載のＸ線スキャナ用電子源。
【請求項１９】
該集束素子は、該放出器に対して正の電位を有する電位に接続されるように構成されることを特徴とする請求項１４乃至１８の何れか一記載のＸ線スキャナ用電子源。
【請求項２０】
該集束素子は、該グリッド素子に対して負の電位を有する電位に接続されるように構成されることを特徴とする請求項１９記載のＸ線スキャナ用電子源。
【請求項２１】
該制御手段は該集束素子に印加される電位を制御し、それにより該電子ビームの集束を制御するように構成されることを特徴とする請求項１４乃至２０の何れか一記載のＸ線スキャナ用電子源。
【請求項２２】
該集束素子はワイヤを含むことを特徴とする請求項１４乃至２１の何れか一記載のＸ線スキャナ用電子源。
【請求項２３】
該集束素子は平面的であり、該電子源領域が電子を放出するように構成される方向に対して略平行な平面内に延在して、陽極からの逆方向のイオン衝撃から該放出器手段を保護することを特徴とする請求項１４乃至２２の何れか一記載のＸ線スキャナ用電子源。
【請求項２４】
該グリッド素子は、１つ又は複数の隣接するグリッド素子のグループが該抽出電位に切り替えられる場合に、電子が該グリッド素子のグループの幅よりも長い該放出器部材の長さから抽出されることになるように、該放出器から離間して配置されることを特徴とする請求項４又は請求項４に従属する請求項５乃至２３の何れか一記載のＸ線スキャナ用電子源。
【請求項２５】
該グリッド素子は、隣接するグリッド素子間の距離に少なくとも略等しい距離だけ、該放出器部材から離間して配置されることを特徴とする請求項２４記載のＸ線スキャナ用電子源。
【請求項２６】
該グリッド素子は５ｍｍ程度の距離だけ該放出器部材から離間して配置されることを特徴とする請求項２４又は２５記載のＸ線スキャナ用電子源。
【請求項２７】
該グリッド素子は約５ｍｍの距離だけ該放出器部材から離間して配置されることを特徴とする請求項２６記載のＸ線スキャナ用電子源。
【請求項２８】
該グリッド素子は該抽出された電子を少なくとも部分的に集束してビームにするように構成されることを特徴とする請求項２４乃至２７の何れか一記載のＸ線スキャナ用電子源。
【請求項２９】
該電子源領域は互いから絶縁される個々の放出部材上に形成され、該制御手段は該放出部材の電位を変更して、該相対的な電位を制御するように構成されることを特徴とする請求項１記載のＸ線スキャナ用電子源。
【請求項３０】
該グリッドは一定の電位に保持されるように構成されることを特徴とする請求項２９記載のＸ線スキャナ用電子源。
【請求項３１】
同じく一定の電位に保持されるように構成される集束素子をさらに備えることを特徴とする請求項３０記載のＸ線スキャナ用電子源。
【請求項３２】
該集束素子は該グリッドと同じ電位に保持されるように構成されることを特徴とする請求項３１記載のＸ線スキャナ用電子源。
【請求項３３】
該集束素子は、該放出器部材の各隣接する対間にあるが、前方に離間して配置される１つの集束素子が存在するように構成されることを特徴とする請求項３１又は３２記載のＸ線スキャナ用電子源。
【請求項３４】
該制御手段は該各電子源領域を次々に起動するように構成されることを特徴とする請求項１乃至３３の何れか一記載のＸ線スキャナ用電子源。
【請求項３５】
該制御手段は、該電子源領域又は該グリッド領域の電位を制御して、該電子源領域の複数の連続したグループから電子を抽出するように構成され、該グループはそれぞれ異なる波長の方形波パターンを有する照明を生成することを特徴とする請求項１乃至３４の何れか一記載のＸ線スキャナ用電子源。
【請求項３６】
請求項１乃至３５の何れか一記載の電子源と、少なくとも１つの陽極とを備えるＸ線管。
【請求項３７】
該少なくとも１つの陽極は、異なるグリッド素子によって生成される電子ビームが該陽極の異なる部分に衝突することになるように構成される長尺状の陽極を含むことを特徴とする請求項３６記載のＸ線管。
【請求項３８】
請求項３６又は３７記載のＸ線管と、Ｘ線検出手段とを備えるＸ線スキャナであって、該制御手段は、個々のＸ線源点から該少なくとも１つの陽極上にＸ線を生成し、且つ該検出手段から個々のデータセットを収集するように構成されることを特徴とするＸ線スキャナ。
【請求項３９】
該検出手段は複数の検出器を備えることを特徴とする請求項３８記載のＸ線スキャナ。
【請求項４０】
該制御手段は、該電子源領域又は該グリッド領域の電位を制御して、該電子源領域から成るグループであってそれぞれが異なる波長の方形波パターンを有する照明を生成する複数の連続したグループから電子を抽出し、該照明毎に該検出手段の読み値を記録するように構成されることを特徴とする請求項３８又は３９記載のＸ線スキャナ。
【請求項４１】
該制御手段は、該記録された読み値に数学的な変換を適用して、該Ｘ線管と該検出器との間に置かれる物体の特徴を再構成するようにさらに構成されることを特徴とする請求項４０記載のＸ線スキャナ。
【請求項４２】
複数のＸ線源点を有するＸ線源と、
Ｘ線検出手段と、
該Ｘ線源を制御するように構成されて、該Ｘ線源点から成るグループであってそれぞれが異なる波長の方形波パターンを有する照明を生成する複数の連続したグループからＸ線を生成し、且つ該照明毎に該検出手段の読み値を記録する制御手段と、を備えることを特徴とするＸ線スキャナ。
【請求項４３】
該Ｘ線源点は直線状のアレイに配列されることを特徴とする請求項３８乃至４１の何れか一記載のＸ線スキャナ。
【請求項４４】
該検出手段は、該Ｘ線源点の該直線状のアレイに対して略垂直な方向に延在する検出器の直線状のアレイを含むことを特徴とする請求項４３記載のＸ線スキャナ。
【請求項４５】
該制御手段は照明毎に該各検出器からの読み値を記録するように構成されることを特徴とする請求項４４記載のＸ線スキャナ。
【請求項４６】
該制御手段は該各検出器からの該読み値を用いて、該物体の個々の層の特徴を再構成するように構成されることを特徴とする請求項４５記載のＸ線スキャナ。
【請求項４７】
該制御手段は、該読み値を用いて、該物体の３次元再構成物を形成するように構成されることを特徴とする請求項４６記載のＸ線スキャナ。
【請求項４８】
Ｘ線源点の直線状のアレイを備えるＸ線源と、検出器の直線状のアレイを備えるＸ線検出手段と、制御手段とを備えるＸ線スキャナであって、
該直線状のアレイは互いに対して略垂直に配列され、該制御手段は該Ｘ線源点又は該検出器のいずれかを制御して、それぞれが異なる数の該Ｘ線源点又は該検出器から成るグループを含む複数の連続したグループにおいて動作させるように、且つ数学的な変換を用いて該検出器からの読み値を解析して物体の３次元画像を生成するように構成されることを特徴とするＸ線スキャナ。
【請求項４９】
該制御手段は、該複数のグループにおいて該Ｘ線源点を動作させるように構成され、該グループ毎に該各検出器から同時に読み値が得られることを特徴とする請求項４８記載のＸ線スキャナ。
【請求項５０】
該制御手段は、該複数のグループにおいて該検出器を動作させて、該グループ毎に、該各Ｘ線源点を次々に起動して、個々の読み値を生成するように構成されることを特徴とする請求項４８記載のＸ線スキャナ。
【請求項５１】
該放出部材は絶縁性放出器ブロック上に支持される放出器パッドを含むことを特徴とする請求項２９記載のＸ線スキャナ用電子源。
【請求項５２】
該絶縁性ブロック上に形成されて、該放出器パッドへの電気的な接続を提供する導電性材料の層をさらに備えることを特徴とする請求項５１記載のＸ線スキャナ用電子源。
【請求項５３】
該放出器パッドは該導電性材料の層上に配設されることを特徴とする請求項５２記載のＸ線スキャナ用電子源。
【請求項５４】
該放出器ブロックに隣接する加熱素子をさらに備えることを特徴とする請求項５１乃至５３の何れか一記載のＸ線スキャナ用電子源。
【請求項５５】
該加熱素子は絶縁性材料のブロックを含み、該ブロックに配設される導電性材料の層が加熱素子を形成することを特徴とする請求項５４記載のＸ線スキャナ用電子源。
【請求項５６】
該放出器パッド毎に電気的な接続を与える接続素子と、該接続素子と該放出器ブロックとの間の電気的な接続を提供する可撓性の接続素子とをさらに備えることを特徴とする請求項５１乃至５５の何れか一記載のＸ線スキャナ用電子源。
【請求項５７】
該接続素子は、熱膨張によって引き起こされる、該接続素子と該放出器パッドとの間の相対的な動きに適応するように構成されることを特徴とする請求項５６記載のＸ線スキャナ用電子源。